(57)【要約】【目的】予定した起床時刻が早朝であるか深夜であるかなどに拘らず、心地よい目覚めを得られる目覚し装置を提供する。【構成】時刻を計測する計時部２、計時部２による計時を表示する時刻表示部３、起床時刻を設定する時刻設定部４、計時部２による計時が時刻設定部４で設定された起床時刻に至る所定時間前に点灯される光源９、及び光源９の発光量をその点灯時から時刻設定部４で設定された起床時刻に至るまで漸次増大させる調光手段１３を備える。又、計時部２による計時が時刻設定部４で設定された起床時刻に至ったとき作動する発音部５を備える。【選択図】図２
0003107356.tif 000002
【実用新案登録請求の範囲】
【請求項１】
時刻を計測する計時部と、この計時部による計時を表示する時刻表示部と、起床時刻を設定する時刻設定部と、前記計時部による計時が前記時刻設定部で設定された起床時刻に至る所定時間前に点灯される光源と、該光源の発光量をその点灯時から前記時刻設定部で設定された起床時刻に至るまで漸次増大させる調光手段とを具備して構成される目覚し装置。
【請求項２】
計時部による計時が時刻設定部で設定された起床時刻に至ったとき作動する発音部を備えることを特徴とする請求項１記載の目覚し装置。
【請求項３】
光源の点灯開始時間が時刻設定部で設定された起床時刻の５〜３０分前とされる請求項１、又は２記載の目覚し装置。
【考案の詳細な説明】
【技術分野】
【０００１】
本考案は目覚し装置に係わり、特に光の刺激によって心地よい目覚めが齎されるようにした目覚し装置に関する。
【背景技術】
【０００２】
従来、予定した時刻に起床するための目覚し装置として、予定の時刻にアラーム音を発する発音部付の時計（目覚時計）が良く知られる。
【０００３】
しかし、目覚めを促す機能として発音部だけしか備えない目覚時計では、予定の起床時刻が深夜の時間帯であったり、或いは早朝乃至昼間の時間帯でも遮光性のカーテンなどで室内が暗くされている場合には、起床時刻を確認することが容易でない。
【０００４】
そこで、電源、スイッチ、電気音響装置、並びに電球を直列に接続し、設定された時刻にスイッチが閉じられたとき、ベルやブザーなどから成る電気音響装置が鳴奏し、これと同時に時計の文字盤に配した電球が点灯するようにした目覚時計の照明装置が提案されている（例えば、特許文献１）。
【０００５】
又、目覚設定時刻に起動して鳴動する鳴動装置と、鳴動装置の起動に同期して時刻表示部の照明用ランプを点灯させる点灯回路とを具備して成る目覚時計も知られている（例えば、特許文献２）。
【０００６】
【特許文献１】実開昭４９−５９５７５号公報
【０００７】
【特許文献２】特開昭５７−５７７号公報
【考案の開示】
【考案が解決しようとする課題】
【０００８】
然しながら、特許文献１，２の何れも係る照明光は時刻を確認するためのもので目覚めを促すような機能を有していない。
【０００９】
つまり、特許文献１，２では電気音響装置や鳴動装置といった発音部からの出力音によってのみ起床時刻を認知させるものであるが、その種の目覚時計では耳元でけたたましく鳴り響く音により不快感が増すばかりで心地よい目覚めが得られず、不快のあまりにアラーム音を停止せしめて寝入ってしまうこともある。
【００１０】
又、不快感を残して目覚める事ができたとしても、暗闇状態の室内を明るくするべく室内灯を点灯させた場合には、急激に目に射る多量の照明光により眩しさのあまりに暫く目を開けられないことがあり、しかも起床時の不快感を引きずって一日の生活リズムが狂ってしまうことがある。
【００１１】
本考案は以上のような事情に鑑みて成されたものであり、その目的は予定した起床時刻が早朝であるか深夜であるかなどに拘らず、心地よい目覚めを得られる目覚し装置を提供することにある。
【課題を解決するための手段】
【００１２】
上記目的を達成するため、本考案に係る目覚し装置は、時刻を計測する計時部と、この計時部による計時を表示する時刻表示部と、起床時刻を設定する時刻設定部と、前記計時部による計時が前記時刻設定部で設定された起床時刻に至る所定時間前に点灯される光源と、該光源の発光量をその点灯時から前記時刻設定部で設定された起床時刻に至るまで漸次増大させる調光手段とを具備することを特徴とする。
【００１３】
又、上記のような目覚し装置において、計時部による計時が時刻設定部で設定された起床時刻に至ったとき作動する発音部を備えることを特徴とする。
【００１４】
加えて、光源の点灯開始時間が時刻設定部で設定された起床時刻の５〜３０分前とされることを特徴とする。
【考案の効果】
【００１５】
本考案に係る目覚し装置によれば、計時部による計時が時刻設定部で設定された起床時刻に至る前に光源が点灯されると共に、その発光量が点灯時から時刻設定部で設定された起床時刻に至るまで漸次増大されることから、朝日を浴びたときのような心地よい自然な目覚めが齎され、一日を快適な気分のまま過すことができる。
【００１６】
又、起床時が日の出前でも周囲が既に明るくされるので、再度寝入ってしまう危険性が少なく、起床時刻も容易に視認することが可能となる。
【００１７】
加えて、計時部による計時が時刻設定部で設定された起床時刻に至ったとき作動する発音部を備えることから、光刺激により眠りを漸次浅くせしめて起床時刻の接近を知らせながら、音刺激によって就寝者を驚かすことなく完全に目覚めさせることができる。
【００１８】
更に、光源の点灯開始時間が時刻設定部で設定された起床時刻の５〜３０分前とされることから、就寝者を緩やかに覚醒状態まで移行させて光刺激の急激な増大による生体リズムの変調を防止することができる。
【考案を実施するための最良の形態】
【００１９】
以下、図面に基づいて本考案に係る目覚し装置を詳しく説明する。図１は時計と照明器を一体とした目覚し装置を示す。図１において、１は枕元などに配される時計ユニットであり、その内部には水晶振動子などを含んで構成される計時部２が設けられ、この計時部２により時刻が計測されるようになっている。
【００２０】
又、時計ユニット１の前面には計時部２による計時を表示するための時刻表示部３と、所望の起床時刻を設定するための時刻設定部４が設けられる。
【００２１】
本例において、時刻表示部３は液晶パネル（ＬＣＤ）などから成るデジタル表示タイプとされるが、これをアナログ表示タイプにすることもできる。一方、時刻設定部４は数個の押しボタンから成る操作キーとされ、その押圧操作により起床時刻を時間単位および分単位で設定可能とされる。
【００２２】
更に、時計ユニット１の前面には、内蔵型スピーカなどから構成される発音部５が設けられ、計時部２による計時が時刻設定部４で設定した起床時刻に至ったとき、係る発音部５からアラーム音が発せられる構成とされる。
【００２３】
ここに、発音部５としては一様な連続音を発するブザーや不連続音を発する電子発音器などのほか、ラジオやオーディオ装置などを好適に用いることができるが、特に音量が漸次増大する機能を有していることが好ましく、これにより起床時の不快感を軽減することができる。
【００２４】
尚、図１において、６は時計ユニットの上面などに配される操作スイッチであり、その操作により発音部５を不作動状態にできるようにしてある。
【００２５】
又、図１において、７は以上のような時計ユニット１と一体の照明器であり、係る照明器７は時計ユニット１の上方に向けて延びるフレキシブルな配線管８、その上端部に設けられるソケットに装着される光源９、並びに光源９を覆うシェード１０などから構成される。尚、１１は時計ユニット１に接続する電気コードで、この電気コード１１を通じて図２に示す電源部１２（ＡＣ１００Ｖの商用電源）から時計ユニット１と照明器７に所要電力が供給される構成としてある。
【００２６】
ここに、照明器７によれば、計時部２による計時が時刻設定部４で設定された起床時刻に至る所定時間前、好ましくは設定した起床時刻に至る５〜３０分前に光源９が点灯する構成とされる。特に、光源９はその点灯時から時刻設定部４で設定された起床時刻に至るまで発光量（発光輝度）が漸次増大され、その発光量が上記起床時刻の直前に最大となるよう制御される。
【００２７】
図２において、１３は光源９の発光量を調整可能とする調光手段であり、係る調光手段１３は例えばサイリスタなどを含むスイッチング回路を有した位相制御回路を構成する。そして、係る調光手段１３によれば、制御部１４からの入力信号により作動し、位相制御された交流電圧を照明器の光源９に印加して該光源を低輝度で点灯させながら、その発光量（輝度）を漸次増大させることのできる機能を有している。尚、調光手段１３として周波数変換回路を構成してもよく、係る調光手段でも周波数を変換した交流電圧を光源９に印加して、その発光量を調整することができる。
【００２８】
図３は係る調光手段による光源の発光量調整パターンを示す。尚、図３において縦軸は光源９の発光量、横軸は時間であり、Ｔ０は時刻設定部４で設定される起床時刻、Ｔ−１はそれより前（５〜３０分前）に設定される光源９の点灯開始時間である。
【００２９】
図３から明らかなように、光源９は点灯開始時間Ｔ−１において発光量が最低とされ、これが複数回に分けて漸次増大され、就寝者により設定される起床時刻Ｔ０の直前において最大の発光量とされる。尚、図３では発光量が８段階に切り換えられる状態を示しているが、これを２段階としても、８段階以上としてもよい。
【００３０】
又、図２において、１５は時刻設定部４で設定した起床時刻が格納される記憶部であり、この記憶部１５に格納された起床時刻は制御部１４により読み書き可能とされる。尚、係る記憶部１５のほか、制御部１４や調光手段１３は図１に示した時計ユニット１に内蔵されるが、制御部１４、調光手段１３、及び記憶部１５を時計ユニット１とは別の制御ユニットとし、これを時計ユニット１と信号線で結合する構成とすることもできる。
【００３１】
ここで、以上のように構成される本願目覚し装置の作用を説明すれば、就寝時には時刻設定部４で所望の起床時刻を設定するのであるが、係る起床時刻は符号化されて記憶部１５に格納される。そして、制御部１４では記憶部１５に格納された起床時刻と計時部２から出力される計時信号とを比較、演算し、計時部２による計時が起床時刻の５〜３０分前に達したとき、調光手段１３に対して制御信号を発信する。これにより、調光手段１３を介して光源９が低輝度で点灯されると共に、計時部２による計時が起床時刻に至るまで光源９の発光量が漸次増大される。
【００３２】
而して、光源９の発光量増大に呼応するように就寝者の眠りが漸次浅くなり、光源９の発光量が最大となる頃には朝日を浴びたような心地よい気分で自然な目覚めが齎される。
【００３３】
このときには、光源９の光に目もなれて眩しさを然程感じることはなく、しかも日の出前でも室内が既に明るいので、時刻表示部３で起床時刻を直ぐに確認することができ、就寝前に設定した起床時刻前であれば、操作スイッチ６を操作して発音部５を事前に不作動状態として睡眠中の隣室者などをアラーム音で起してしまうことを防止できる。
【００３４】
又、光源９の点灯により完全に目覚めることができなかった場合でも、設定した起床時刻になれば、制御部１４から発音部５に制御信号が入力され、これによって発音部５から発せられるアラーム音により完全に目覚めることができる。尚、この場合でも既に眠りが浅くなっているので不快感は軽減され、しかも光源の９点灯により周囲が明るくなっているのでアラーム音を止めて再度寝入ってしまう虞は少ない。
【００３５】
以上、本考案について説明したが、係る目覚し装置は枕元などに配されるスタンドタイプに限らず、これを壁掛けタイプとしたり、あるいは照明器７と時計ユニット１を別体の構成とすることもできる。
【００３６】
図４は、照明器７を時計ユニット１と別体の天井灯とした例であり、本例では係る照明器７の光源９と時計ユニット１が信号線１６で繋げられ、時計ユニット１内に組み込まれる調光手段により上記例と同じく光源９の発光量が調整される構成とされる。
【図面の簡単な説明】
【００３７】
【図１】本考案に係る目覚し装置を示す斜視図
【図２】同目覚し装置の制御回路を示すブロック図
【図３】光源の発光量調整パターンを示す説明図
【図４】本考案に係る目覚し装置の変更例を示す概略図
【符号の説明】
【００３８】
１  時計ユニット
２  計時部
３  時刻表示部
４  時刻設定部
５  発音部
７  照明器
９  光源
１３  調光手段
１４  制御部
１５  記憶部
【図１】
0003107356.tif 000003
【図２】
0003107356.tif 000004
【図３】
0003107356.tif 000005
【図４】
0003107356.tif 000006